(57)【要約】【課題】パネル前面に付着した雨水による不具合の発生を抑制する。【解決手段】取付枠４に設けられた溝(通路)43を通して、第２空間30から第１空間15へ水滴が移動し、さらに、第１筒部10の底面側において第１空間15を開放する排水孔16から水滴が排水される。そのため、パネル３の前面に付着した雨水(水滴)がパネル３と取付枠４との間の段差に溜まり難くなる。その結果、溜まった雨水でパネル３の前面が汚れるなどの不具合の発生を抑制することができる。【選択図】        図１
2014179212.tif 000002
【特許請求の範囲】
【請求項１】
有底筒状の第１筒部、並びに筒状であって前記第１筒部を内部に収める第２筒部を有する本体と、前記第１筒部の内底面に配設される光源と、前記第１筒部の前面開口を塞ぐとともに前記光源から放射される光を透過するパネルと、前記パネルの周縁部分を保持し且つ前記第２筒部の前面開口を塞ぐように前記本体に取り付けられる取付枠とを備え、
前記取付枠は、前記第１筒部の外側であり且つ前記第２筒部の内側である第１空間と、前記パネルの前方の第２空間とを繋ぐ１乃至複数の通路を有し、
前記本体は、前記第１筒部の底面側において前記第１空間を外部に開放する排水孔を有することを特徴とする照明器具。
【請求項２】
前記取付枠は、前記第１空間内へ突出し且つ前記第１筒部の軸方向に交差する方向から見て前記通路と重なる突片を有することを特徴とする請求項１記載の照明器具。
【請求項３】
前記本体は、前記第１筒部及び前記第２筒部の後方に設けられ、前記光源が発する熱を外部に放熱する放熱部を備え、前記排水孔が前記放熱部の近傍に配置されることを特徴とする請求項１又は２記載の照明器具。
【発明の詳細な説明】
【技術分野】
【０００１】
本発明は、照明器具に関する。
【背景技術】
【０００２】
従来、屋外に設置される照明器具は、光源を収納した有底筒状の本体と、本体の開口を塞いで光源の光を透過するパネルと、パネルを本体に取り付ける取付枠と、取付枠と本体の隙間を塞ぐ防水パッキンとを備えている(例えば、特許文献１参照)。
【先行技術文献】
【特許文献】
【０００３】
【特許文献１】実開平１−１２７１１１号公報
【発明の概要】
【発明が解決しようとする課題】
【０００４】
ところで、主に防水とパネルの保護を目的として、取付枠とパネルとの間に防水パッキンが設けられている。そのため、取付枠は、防水パッキンを介してパネル前面との間に段差が形成されている。したがって、パネル前面に付着した雨水が前記段差に溜まり易く、溜まった雨水でパネル前面が汚れるなどの不具合が生じていた。
【０００５】
本発明は、上記課題に鑑みて為されたものであり、パネル前面に付着した雨水による不具合の発生を抑制することを目的とする。
【課題を解決するための手段】
【０００６】
本発明の照明器具は、有底筒状の第１筒部、並びに筒状であって前記第１筒部を内部に収める第２筒部を有する本体と、前記第１筒部の内底面に配設される光源と、前記第１筒部の前面開口を塞ぐとともに前記光源から放射される光を透過するパネルと、前記パネルの周縁部分を保持し且つ前記第２筒部の前面開口を塞ぐように前記本体に取り付けられる取付枠とを備え、前記取付枠は、前記第１筒部の外側であり且つ前記第２筒部の内側である第１空間と、前記パネルの前方の第２空間とを繋ぐ１乃至複数の通路を有し、前記本体は、前記第１筒部の底面側において前記第１空間を外部に開放する排水孔を有することを特徴とする。
【０００７】
この照明器具において、前記取付枠は、前記第１空間内へ突出し且つ前記第１筒部の軸方向に交差する方向から見て前記通路と重なる突片を有することが好ましい。
【０００８】
この照明器具において、前記本体は、前記第１筒部及び前記第２筒部の後方に設けられ、前記光源が発する熱を外部に放熱する放熱部を備え、前記排水孔が前記放熱部の近傍に配置されることが好ましい。
【発明の効果】
【０００９】
本発明の照明器具は、取付枠に設けられた通路を通して、第２空間から第１空間へ水滴が移動し、さらに、第１筒部の底面側において第１空間を開放する排水孔から水滴が排水されるため、パネルの前面に付着した雨水(水滴)がパネルと取付枠との間の段差に溜まり難くなり、その結果、パネル前面に付着した雨水による不具合の発生を抑制することができるという効果がある。
【図面の簡単な説明】
【００１０】
【図１】本発明に係る照明器具の実施形態を示す断面斜視図である。
【図２】同上の一部省略した正面図である。
【図３】同上の断面図である。
【図４】同上における取付枠を示し、(ａ)は平面図、(ｂ)は断面図である。
【図５】同上の要部斜視図である。
【発明を実施するための形態】
【００１１】
以下、本発明の技術思想を屋外設置型のスポットライトに適用した実施形態について、図面を参照して詳細に説明する。ただし、本発明の技術思想が適用可能な照明器具はスポットライトに限定されるものではない。
【００１２】
本実施形態は、図１〜図３に示すように本体１、光源２、パネル３、取付枠４、電源ユニット５、アーム６、反射板７などを備える。なお、以下の説明においては、特に断りの無い限り、図１において上下左右前後の各方向を規定する。
【００１３】
光源２は、ＬＥＤユニット20と、台座210と、ＬＥＤユニット20を保持するホルダ211と、複数の固定ばね22とを有する。ＬＥＤユニット20は、矩形平板状の実装基板201と、実装基板201の前面に実装されたＬＥＤ(発光ダイオード)200とを有する。ＬＥＤ200は、例えば、青色光を放射するＬＥＤチップをシリコーン樹脂などの透光性を有する封止材で封止し、封止材に混入された蛍光体で青色光の一部を黄色光に変換して青色光と混色することにより、白色光を放射する。
【００１４】
台座210は、放熱シート等の熱伝導材(図示せず)を介して実装基板と接する金属体(アルミダイカスト)からなる。ホルダ211は、ＰＢＴ樹脂などの合成樹脂材料によって矩形枠状に形成され、ＬＥＤ200を前方に露出させるようにして台座210の前面側に取り付けられ、台座210にねじ止めされた３つの固定ばね22によって台座210に固定される。つまり、ＬＥＤユニット20は、ホルダ211と台座210に挟まれるようにして固定される。
【００１５】
電源ユニット５は、商用の交流電源から供給される交流電力を直流電力に変換する電力変換回路(図示せず)と、電力変換回路を内部に収納した金属製のケース50とを有する。なお、ケース50から引き出される電線(図示せず)が光源２のＬＥＤユニット20に接続され、当該電線を介して電源ユニット５からＬＥＤユニット20へ直流電力が供給される。
【００１６】
本体１は、アルミダイカスト製であって、第１筒部10、第２筒部11、収納部12、放熱部13、カバー14などで構成される。第１筒部10は、前面が開口した有底円筒形状に形成されている。第１筒部10の内底面には、光源２(ホルダ21)の後端部が嵌め込まれる凹所100が設けられている。光源２は、ホルダ21が凹所100に嵌め込まれることで第１筒部10の内底面に固定される。
【００１７】
第１筒部10の内部に反射板７が収納される。反射板７は、ＰＢＴ樹脂などの合成樹脂材料により、回転軸方向の両端(前端及び後端)が開口した回転放物面形状に形成されている。ただし、反射板７の内周面にはアルミが蒸着されており、その内周面が光源２の放射する光を反射する反射面となっている。また、反射板７は、外周面の前端側から外向きに突出するフランジ70が一体に形成されている。このフランジ70は、第１筒部10の内周面における前端側に形成された段部101に前方から当接することで位置決めされる。
【００１８】
第２筒部11は、前後両面が開口し且つ後方に向かって縮径する円筒形状に形成され、内部に第１筒部10を収めている。第２筒部11は、前後方向に沿った幅細の突条からなる連結部102によって第１筒部10と連結されている。ただし、連結部102は、第１筒部10の周方向に沿って等間隔に３つ設けられている。つまり、３つの連結部102を除いて、第１筒部10の外周面と第２筒部11の内周面との間に空間(第１空間)15が形成されている。なお、第２筒部11の後端面が開口しているため、第１空間15は、第１筒部10の底面側において第２筒部11の後端面の開口を通して外部に開放されている。すなわち、第２筒部11の後端面の開口が後述する排水孔16となる。
【００１９】
収納部12は、第１筒部10の後端と繋がった円筒形状の部分と、円筒形状の部分から下方へ突出する矩形箱状の部分とが第１筒部10と一体に形成され、その内部に電源ユニット５を収納する。ただし、収納部12は、電源ユニット５を内部に収めるために後端面が開放されている。
【００２０】
放熱部13は、収納部12を構成する円筒形状の部分に設けられている。つまり、前記円筒形状の部分の外周面に、円弧状の多数の突条が前後方向に間隔を空けて突設されており、これら複数の突条(放熱フィン)が放熱部13に相当する。故に、光源２や電源ユニット５から放射される熱が本体１を伝って放熱部13から放熱されるため、光源２及び電源ユニット５の温度上昇を抑えることができる。
【００２１】
カバー14は、アルミダイカスト製であって、収納部12の後端面と同一の形状に形成されており、収納部12の後端面にねじ止めされて収納部12を閉塞する。なお、カバー14と収納部12と間には防水パッキン140が介装されている。
【００２２】
収納部12は、電源ケーブル(図示せず)を引き込むための引き込み口120が下面に設けられている。引き込み口120は、収納部12の下面から下向きに突出する円筒形に形成され、円筒形状の防水パッキン(図示せず)を内部に収納し、アルミダイカスト製のキャップ121が先端(下端)に取り付けられる。電源ケーブルは、キャップ121と防水パッキンを介して引き込み口120から収納部12内に引き込まれ、電源ユニット５に接続される。
【００２３】
また、収納部12の内外の気圧を平衡させるため、収納部12の下面に通気孔122が貫通している。ただし、通気孔122は活性炭フィルタ123によって異物の混入が防止されている。
【００２４】
さらに、収納部12は、左右両側の外側面に円筒形のアーム固定部124がそれぞれ突設されている。アーム６は、先端部分がアーム固定部124に回動自在に固定される一対の支持片60と、左右両端からそれぞれ支持片60が起立する固定片61とが金属板(例えば、溶融亜鉛めっき鋼板)を加工することによって一体に形成されてなる。
【００２５】
支持片60の先端部分にはボルト挿通孔（図示せず）が貫通している。故に、ボルト挿通孔に挿通されるボルト17は、アーム固定部124に設けられる雌ねじ1240(図５参照)と螺合する。故に、アーム６は、ボルト17を軸として本体１に対して回動自在となり、ボルト17を締め付けることで本体１に固定される。
【００２６】
固定片61は、円形の第１ボルト挿通孔610と、第１ボルト挿通孔610を中心とする半円弧状の第２ボルト挿通孔611とが厚み方向に貫通している。すなわち、固定片61は、２つのボルト挿通孔610，611にそれぞれ挿通される２本のボルトが地面や壁面に埋め込まれた雌ねじ(図示せず)にねじ込まれて固定される。そして、第２ボルト挿通孔611に挿通されたボルトを緩めれば、第１ボルト挿通孔610に挿通されたボルトを軸としてアーム６を回動することができる。つまり、固定面(地面や壁面など)に対してアーム６を回動し、さらに、アーム６に対して本体１を回動することにより、照射範囲を調整することができる。
【００２７】
パネル３は、強化ガラスにより、第１筒部10の外径よりも僅かに大きい直径寸法の円板状に形成され、第１筒部10の前面開口を塞いでいる。なお、パネル３は、取付枠４によって本体１に取り付けられる。
【００２８】
取付枠４は、図４に示すように枠部40、ボス41、周壁42などがアルミダイカストによって一体に形成されてなる。枠部40は、幅広の円環状に形成され、裏面(後面)に３つのボス41と周壁42が設けられている。ボス41は、ねじ挿通孔410が貫通し、枠部40の周方向に沿って等間隔に配設されている。周壁42は、枠部40のほぼ全周にわたって後方に突出するように設けられている。周壁42の内側にはパネル３が嵌め込まれる。ただし、パネル３の周縁部分にはシリコーンゴム製の防水パッキン８が嵌合されている。
【００２９】
取付枠４は、防水パッキン８が嵌合されたパネル３を周壁42の内側に嵌め込んだ状態で第１筒部10の前面に取り付けられる。そして、３つのボス41の各ねじ挿通孔410に取付ねじ103を挿通し、これら３本の取付ねじ103を連結部102に形成されている雌ねじ1020にねじ込むことで取付枠４が本体１に取り付けられる。このとき、パネル３は、取付枠４と第１筒部10の前端との間で挟持され、取付枠４及び第１筒部10とパネル３との隙間が防水パッキン８によって閉塞される。
【００３０】
ここで、取付枠４の枠部40には、径方向に沿った複数(図示例では３つ)の溝43が設けられている。各溝43は、径方向における内側が開放されているが、径方向における外側は突片44で塞がれている。突片44は、枠部40の後面における外周縁から後方に突出する薄い板状に形成されている。なお、周壁42は各溝43において分断されている。
【００３１】
取付枠４が第１筒部10の前面に取り付けられると、パネル３の前方の空間(第２空間30)と第１空間15とが各溝43を通して繋がることになる(図１及び図３参照)。すなわち、本実施形態では、溝43が通路となる。したがって、パネル３の前面に付着した雨水(水滴)は、自重で下方に移動し、枠部40に設けられている溝43を通して第１空間15に排出される。このとき、溝43の下に突片44が存在しているので、溝43を通過した水滴は、突片44に滴下し、さらに、突片44から第２筒部11の内周面に滴下する。
【００３２】
ここで、光源２の光軸を水平よりも上に向けた姿勢で本体１が設置されている場合、第２筒部11の内周面に滴下した水滴は、第１空間15内を後方へ移動して排水孔16から本体１の外に排水される。なお、光源２の光軸を水平又は水平よりも下に向けた姿勢で本体１が設置されている場合、第２筒部11の内周面に滴下した水滴は、第２筒部11の内周面と取付枠４との隙間を通して本体１の前方へ排水される。
【００３３】
上述のように本実施形態では、取付枠４に設けられた溝(通路)43を通して、第２空間30から第１空間15へ水滴が移動し、さらに、第１筒部10の底面側において第１空間15を開放する排水孔16から水滴が排水される。そのため、パネル３の前面に付着した雨水(水滴)がパネル３と取付枠４との間の段差に溜まり難くなる。その結果、溜まった雨水でパネル３の前面が汚れるなどの不具合の発生を抑制することができる。また、排水孔16は放熱部13の近傍に配置されているので、排水孔16の周囲に付着した水滴が蒸発し易くなるという利点がある。
【符号の説明】
【００３４】
１  本体
２  光源
３  パネル
４  取付枠
10  第１筒部
11  第２筒部
15  第１空間
16  排水孔
30  第２空間
43  溝(通路)
【図１】
2014179212.tif 000003
【図２】
2014179212.tif 000004
【図３】
2014179212.tif 000005
【図４】
2014179212.tif 000006
【図５】
2014179212.tif 000007